(57)【要約】      （修正有）【課題】本発明は、洗浄や殺菌などの処理に対して十分な耐性を確保しつつ、既存の医科歯科用ハンドピースに対しても個々の医科歯科用ハンドピースを識別して管理することができるＲＦＩＤタグ、医科歯科用ハンドピース、および医療診療装置を提供する。【解決手段】本発明に係るＲＦＩＤタグ４０は、バンド部４０ａと、ＩＣチップ４５と、保護部材４０ｂとを備えている。バンド部４０ａは、医科歯科用ハンドピースに取付けることが可能なリング状である。ＩＣチップ４５は、バンド部４０ａの一部に設けられ、識別番号を記憶している。保護部材４０ｂは、バンド部４０ａ上でＩＣチップ４５を密封する耐熱性を有している。【選択図】図１
2019216995.tif 000002
【特許請求の範囲】
【請求項１】
医科歯科用ハンドピースに取付けることが可能なリング状のバンド部と、
前記バンド部の一部に設けられ、識別情報を記憶したＩＣチップと、
前記バンド部上で前記ＩＣチップを密封する耐熱性の保護部材とを備える、ＲＦＩＤタグ。
【請求項２】
前記保護部材は、前記ＩＣチップを覆う部分の形状が凸曲面状である、請求項１に記載のＲＦＩＤタグ。
【請求項３】
前記ＩＣチップは、少なくとも一面が前記ＩＣチップを載置する面の高さ方向に対して、前記バンド部の厚み以上の位置に設けられている、請求項１または請求項２に記載のＲＦＩＤタグ。
【請求項４】
前記バンド部は、弾性を有する材料で形成されている、請求項１〜請求項３のいずれか１項に記載のＲＦＩＤタグ。
【請求項５】
前記ＩＣチップは、取付ける前記医科歯科用ハンドピースの識別情報に加え、前記医科歯科用ハンドピースのメンテナンス情報、前記医科歯科用ハンドピースに装着される部品の識別情報および前記医科歯科用ハンドピースの操作設定情報のうち少なくとも１つの情報を記憶する、請求項１〜請求項４のいずれか１項に記載のＲＦＩＤタグ。
【請求項６】
取付ける前記医科歯科用ハンドピースは、医科歯科用エアタービンハンドピース、医科歯科用マイクロモータハンドピース、歯科用スリーウェイハンドピース、歯科用スケーラハンドピース、医療用レーザハンドピース、口腔内カメラ、口腔内スキャナ、歯科用バキュームハンドピース、歯科用サライバエジェクター、歯科用根管治療用マイクロモータハンドピース、歯科用根管バキュームハンドピース、および歯科用光重合照射器のうちいずれかである、請求項５に記載のＲＦＩＤタグ。
【請求項７】
前記ＩＣチップは、パッシブ型のＲＦＩＣチップで、ＨＦ帯からＵＨＦ帯までの周波数帯で動作する、請求項１〜請求項６のいずれか１項に記載のＲＦＩＤタグ。
【請求項８】
前記ＩＣチップに記憶した情報に基づき警告を行う警告部をさらに備える、請求項１〜請求項７のいずれか１項に記載のＲＦＩＤタグ。
【請求項９】
前記警告部は、前記保護部材に密封されたＬＥＤである、請求項８記載のＲＦＩＤタグ。
【請求項１０】
前記医科歯科用ハンドピースである医科歯科用ハンドピースであって、
本体部と、
前記本体部に設けられ、術者が把持する把持部と、
前記把持部とならない前記本体部の位置に、請求項１〜請求項９のいずれか１項に記載の前記ＲＦＩＤタグとを備える、医科歯科用ハンドピース。
【請求項１１】
前記把持部とならない前記本体部の位置に、前記ＲＦＩＤタグの前記バンド部と当接する外周溝および前記ＲＦＩＤタグの前記保護部材と当接する凹部のうち少なくとも一方を設けた、請求項１０に記載の医科歯科用ハンドピース。
【請求項１２】
前記外周溝の幅は、前記ＲＦＩＤタグの前記バンド部の幅が収まる幅である、請求項１１に記載の医科歯科用ハンドピース。
【請求項１３】
前記外周溝の深さは、前記ＲＦＩＤタグの前記バンド部の厚みが収まる深さである、請求項１１または請求項１２に記載の医科歯科用ハンドピース。
【請求項１４】
前記外周溝の外径は、前記ＲＦＩＤタグの前記バンド部の内径よりも大きく、前記バンド部を弾性に抗して引き伸ばして装着する、請求項１１〜請求項１３のいずれか１項に記載の医科歯科用ハンドピース。
【請求項１５】
前記本体部に取付けた前記ＲＦＩＤタグは、所定の固定手段により固定されている、請求項１０〜請求項１４のいずれか１項に記載の医科歯科用ハンドピース。
【請求項１６】
前記本体部に識別情報を１次元または２次元の識別コードとして付してある、請求項１０〜請求項１５のいずれか１項に記載の医科歯科用ハンドピース。
【請求項１７】
前記ＩＣチップは、前記本体部に付した識別情報と同じ識別情報を記憶している、請求項１６に記載の医科歯科用ハンドピース。
【請求項１８】
前記ＩＣチップは、読み取り装置で読み取った前記本体部に付した識別情報と前記ＩＣチップに記憶する識別情報とが不一致の場合、不一致を示す情報が記憶される、請求項１７に記載の医科歯科用ハンドピース。
【請求項１９】
本体部と、
前記本体部に設けられ、術者が把持する把持部と、
前記把持部とならない前記本体部の位置に、請求項８に記載の前記ＲＦＩＤタグとを備え、
前記本体部に付した識別情報と同じ識別情報を前記ＩＣチップに記憶させてある場合に、読み取り装置で読み取った前記本体部に付した識別情報と前記ＩＣチップに記憶する識別情報とが不一致のときには不一致を示す情報が前記ＩＣチップに記憶され、
前記警告部は、前記ＩＣチップに記憶された不一致を示す情報に基づき警告を行う、医科歯科用ハンドピース。
【請求項２０】
本体部と、
前記本体部に設けられ、術者が把持する把持部とを備え、
前記把持部とならない前記本体部の位置に、リング状のバンド部を含むＲＦＩＤタグを取付ける外周溝および前記ＲＦＩＤタグの保護部材と当接する凹部のうち少なくとも一方を設けた、医科歯科用ハンドピース。
【請求項２１】
請求項１７〜請求項２０のいずれか１項に記載の前記医科歯科用ハンドピースと、
前記本体部に付した識別情報および前記ＩＣチップに記憶する識別情報を読み取る読み取り部と、
前記読み取り部で読み取った前記本体部に付した識別情報と前記ＩＣチップに記憶する識別情報とが不一致のときに報知を行う報知部とを備える、医療用診療装置。
【請求項２２】
請求項１９に記載の前記医科歯科用ハンドピースと、
前記本体部に付した識別情報および前記ＩＣチップに記憶する識別情報を読み取る読み取り部とを備え、
前記読み取り部は、読み取った前記本体部に付した識別情報と前記ＩＣチップに記憶する識別情報とが不一致のときに不一致を示す情報を前記ＩＣチップに記憶させ、
前記ＲＦＩＤタグの前記警告部は、前記ＩＣチップに記憶された不一致を示す情報に基づき警告を行う、医療用診療装置。
【請求項２３】
本体部と、前記本体部に設けられ、術者が把持する把持部とを含み、前記本体部に識別情報を１次元または２次元の識別コードとして付してある、医科歯科用ハンドピースと、
前記医科歯科用ハンドピースに取付けることが可能なリング状のバンド部と、前記バンド部の一部に設けられ、前記本体部に付した識別情報と同じ識別情報を記憶したＩＣチップと、前記バンド部上で前記ＩＣチップを密封する耐熱性の保護部材とを含み、前記医科歯科用ハンドピースの前記把持部とならない前記本体部の位置に取付けるＲＦＩＤタグと、
前記本体部に付した識別情報および前記ＩＣチップに記憶する識別情報を読み取る読み取り部と、
前記読み取り部で読み取った前記本体部に付した識別情報と前記ＩＣチップに記憶する識別情報とが不一致のときに報知を行う報知部とを備える、医療用診療装置。
【発明の詳細な説明】
【技術分野】
【０００１】
本発明は、ＲＦＩＤタグ、医科歯科用ハンドピース、および医療診療装置に関する。
【背景技術】
【０００２】
医療や歯科に使用される医科歯科用ハンドピースは、術者が患者に使用することで患者の体に接触して細菌やウィルス等で汚染されてしまう可能性がある。そのため、使用した医科歯科用ハンドピースを次の患者に使用する前には、医科歯科用ハンドピースの洗浄や殺菌などの処理を施す必要があった。しかし、医院では、多くの医科歯科用ハンドピースが使用されており、個々の医科歯科用ハンドピースを識別して管理する必要があった。特に同種の医科歯科用ハンドピースが複数存在する場合、洗浄や殺菌などの処理を適切な順で処理された医科歯科用ハンドピースが、どの医科歯科用ハンドピースであるのかを容易に知ることができる構成が望まれている。
【０００３】
特許文献１では、識別情報や動作パラメータデータを記憶するためのメモリが設けられた医科歯科用ハンドピースが開示されている。特許文献１の医科歯科用ハンドピースでは、メモリに記憶されたデータを他のデータによって上書きできるように構成されている。
【先行技術文献】
【特許文献】
【０００４】
【特許文献１】特許第４３３９６７８号公報
【発明の概要】
【発明が解決しようとする課題】
【０００５】
しかし、特許文献１に記載の医科歯科用ハンドピースは、連結器との接続部分の端面に凹部を設け、当該凹部にメモリを配置した構成である。そのため、メモリが医科歯科用ハンドピースの本体に埋め込まれた構造となっており、当該メモリがＩＣタグのように無線通信で読み取り装置と通信を行う構成であれば、金属で構成された医科歯科用ハンドピースの本体に影響され連結器方向にしか通信できない問題があった。
【０００６】
また、特許文献１に記載の医科歯科用ハンドピースでは、洗浄や殺菌などの処理に対してメモリが十分な耐性を確保しているのかが明確でなく、また連結器に設置される読み取り装置が携帯電話機程度の大きさを有しているので、連結器自体が大型化する問題があった。
【０００７】
さらに、特許文献１に記載の医科歯科用ハンドピースでは、あらかじめ本体にメモリを配置しておく必要がある。そのため、メモリを配置していない既存の医科歯科用ハンドピースには、特許文献１の構成を適用できない問題があった。
【０００８】
本発明は、これらの問題点を解決するためになされたものであり、洗浄や殺菌などの処理に対して十分な耐性を確保しつつ、既存の医科歯科用ハンドピースに対しても個々の医科歯科用ハンドピースを識別して管理することができるＲＦＩＤタグ、医科歯科用ハンドピース、および医療診療装置を提供することを目的とする。
【課題を解決するための手段】
【０００９】
本発明に係るＲＦＩＤタグは、医科歯科用ハンドピースに取付けることが可能なリング状のバンド部と、バンド部の一部に設けられ、識別情報を記憶したＩＣチップと、バンド部上でＩＣチップを密封する耐熱性の保護部材とを備える。
【００１０】
本発明に係る医科歯科用ハンドピースは、本体部と、本体部に設けられ、術者が把持する把持部とを備え、把持部とならない本体部の位置に、リング状のバンド部を含むＲＦＩＤタグを取付ける外周溝およびＲＦＩＤタグの保護部材と当接する凹部のうち少なくとも一方を設けた。
【００１１】
本発明に係る医療用診療装置は、本体部と、本体部に設けられ、術者が把持する把持部とを含み、本体部に識別情報を１次元または２次元の識別コードとして付してある、医科歯科用ハンドピースと、医科歯科用ハンドピースに取付けることが可能なリング状のバンド部と、バンド部の一部に設けられ、本体部に付した識別情報と同じ識別情報を記憶したＩＣチップと、バンド部上でＩＣチップを密封する耐熱性の保護部材とを含み、医科歯科用ハンドピースの把持部とならない本体部の位置に取付けるＲＦＩＤタグと、本体部に付した識別情報およびＩＣチップに記憶する識別情報を読み取る読み取り部と、読み取り部で読み取った本体部に付した識別情報とＩＣチップに記憶する識別情報とが不一致のときに報知を行う情報報知部とを備える。
【発明の効果】
【００１２】
本発明に係るＲＦＩＤタグは、洗浄や殺菌などの処理に対して十分な耐性を確保しつつ、医科歯科用ハンドピースに対して取付けることで、既存の医科歯科用ハンドピースに対しても個々の医科歯科用ハンドピースを識別して管理することが可能となる。
【図面の簡単な説明】
【００１３】
【図１】本実施の形態１に係るＲＦＩＤタグの構成を説明するための概略図である。
【図２】本実施の形態１に係る医科歯科用ハンドピースの構成を説明するための概略図である。
【図３】本実施の形態１に係るＲＦＩＤタグの構成を示す概略図である。
【図４】本実施の形態１に係るＲＦＩＤタグを取付けた医科歯科用ハンドピースの構成を示す概略図である。
【図５】本実施の形態１に係るＲＦＩＤタグを取付けた医科歯科用ハンドピースの構成を示す概略図である。
【図６】本実施の形態１に係るＲＦＩＤタグおよび医科歯科用ハンドピースの外周溝のサイズを説明するための概略図である。
【図７】本実施の形態１に係る警告部を有するＲＦＩＤタグの構成を説明するための概略図である。
【図８】本実施の形態１に係るＲＦＩＤタグの内部構成を説明するためのブロック図である。
【図９】本実施の形態１に係る医療用診療装置の構成を説明するための概略図である。
【図１０】本実施の形態１に係る２次元識別コードを有する医科歯科用ハンドピースの構成を説明するための概略図である。
【図１１】本実施の形態１に係るＲＦＩＤタグの識別番号の確認処理を説明するためのフローチャートである。
【図１２】本実施の形態１に係るＲＦＩＤタグでの警告処理を説明するためのフローチャートである。
【図１３】本実施の形態２に係る医療用診療装置の構成を説明するためのブロック図である。
【図１４】本実施の形態２に係る医療用診療装置での警告処理を説明するためのフローチャートである。
【図１５】本実施の形態３に係る医科歯科用ハンドピースの構成を説明するための概略図である。
【図１６】ＲＦＩＤタグの識別番号を読み取り可能な医療用診療装置や処理装置を含む管理システムを説明するための概略図である。
【図１７】変形例に係るＲＦＩＤタグおよび医科歯科用ハンドピースの構成を説明するための概略図である。
【図１８】変形例に係るＲＦＩＤタグの構成を説明するための概略図である。
【発明を実施するための形態】
【００１４】
以下の実施の形態について、図面を参照しながら詳細に説明する。なお、図中の同一または相当部分については、同一符号を付してその説明は繰り返さない。
【００１５】
（実施の形態１）
図１は、本実施の形態１に係るＲＦＩＤタグ４０の構成を説明するための概略図である。図１（ａ）は、ＲＦＩＤタグ４０の外観を示す斜視図、図１（ｂ）は、ＲＦＩＤタグ４０の内部構造を示す斜視図である。ＲＦＩＤタグ４０は、医科歯科用ハンドピースに取付け可能なゴムバンド式のＩＣタグである。
【００１６】
ＲＦＩＤ（Radio Frequency IDentification）タグ４０は、バンド部４０ａ、保護部材４０ｂ、ＲＦＩＣ（Radio Frequency Integrated Circuits）チップ４５で構成されている。バンド部４０ａは、弾性を有し、医科歯科用ハンドピースに取付けることが可能なリング状である。バンド部４０ａには、例えばオートクレーブ耐性のあるフッ素ゴムを用いる。なお、バンド部４０ａは、フッ素ゴム以外に、合成ゴムであるシリコンゴムなどであってもよい。ここで、リング状の形状は、医科歯科用ハンドピースに取付けられた場合の形状であって取付前の形状に限定されない、そのため、バンド部４０ａは、取付前の形状がベルト状で、医科歯科用ハンドピースに取付けられた場合にベルト状の一部を金具や結束部で繋ぎリング状の形状となるものでもよい。例えば、バンド部が結束バンドでできたＲＦＩＤタグでもよい。
【００１７】
ＲＦＩＣチップ４５は、バンド部４０ａの一部に設けられ、医科歯科用ハンドピースの識別情報である識別番号を記憶することが可能である。ＲＦＩＣチップ４５は、電磁界や電波などを用いた近距離（周波数帯によって数ｃｍ〜数ｍ）の無線通信によって、情報の読み書きを行うことができる。なお、図１（ｂ）に示すＲＦＩＣチップ４５では、図示していないアンテナと接続するパッシブ型のＲＦＩＣチップである。そのため、読み取り装置（リーダ）からの電波をエネルギー源としてＲＦＩＣチップが動作し、ＲＦＩＤタグ４０内に電池を内蔵する必要がない。なお、ＲＦＩＣチップ４５は、パッシブ型のＲＦＩＣチップに限定されず、ＲＦＩＤタグ４０に内蔵した電池と接続するアクティブ型のＲＦＩＣチップでもよい。
【００１８】
保護部材４０ｂは、バンド部４０ａ上でＲＦＩＣチップ４５をゴム成形技術で密封している。保護部材４０ｂは、耐熱性を有しており、ＲＦＩＣチップ４５を密封することで、洗浄や殺菌などの処理、例えばオートクレーブの耐性を向上させている。つまり、医科歯科用ハンドピースなどの医科歯科用ハンドピースは、使用する毎に滅菌処理としてオートクレーブを行う必要があり、医科歯科用ハンドピースに取付けるＲＦＩＤタグ４０もオートクレーブが行われる。そのため、ＲＦＩＤタグ４０も、洗浄や殺菌などの処理に対して十分な耐性を確保する必要がある。さらに、保護部材４０ｂは、平面視が略円形でＲＦＩＣチップ４５を覆う部分の形状が凸曲面状である。これにより、リーダライラからの電波を図示していないアンテナで受信し易くなるとともに、ＲＦＩＤタグ４０に引っかかる部分がないので医科歯科用ハンドピースに取付けても術者の邪魔にならない。
【００１９】
ＲＦＩＤタグ４０に使用できる周波数帯は、日本国内においてＨＦ帯（１３．５６ＭＨｚ）と、ＵＨＦ帯（９１５ＭＨｚ〜９３０ＭＨｚ）の２種類が使用できる。ＨＦ帯は、非接触ＩＣカードなどでも広く利用されており、極近距離でＲＦＩＤタグ４０の読み取りが可能である。一方、ＵＨＦ帯は、ＨＦ帯に比べて電波の回込みが期待でき、ＨＦ帯より遠い距離でＲＦＩＤタグ４０の読み取りが可能である。なお、ＲＦＩＤタグ４０に使用できる周波数帯は、上記の周波数帯に限定されず、国や規制により変更される。
【００２０】
ＲＦＩＤタグ４０は、リング状のバンド部４０ａを有しているので、既存の医科歯科用ハンドピースに対して容易に取り付けることができる。例えば、医科歯科用ハンドピースの把持部でない本体部に、ＲＦＩＤタグ４０を取付ける。しかし、ＲＦＩＤタグ４０は、医科歯科用ハンドピースのどの位置でも取付けることができるため、使用中にズレたり、取付ける人により位置が異なったりすることがある。また、リング状のバンド部４０ａを医科歯科用ハンドピースに装着することによって、術者が施術しにくくなってはならない。そこで、ＲＦＩＤタグ４０を取付ける位置を固定するため、医科歯科用ハンドピースの把持部でない本体部の外周にＲＦＩＤタグ４０を取付けるための溝を形成してもよい。
【００２１】
図２は、本実施の形態１に係る医科歯科用ハンドピース３０の構成を説明するための概略図である。図２（ａ）は、ＲＦＩＤタグ４０を取付けていない医科歯科用ハンドピース３０の斜視図で、図２（ｂ）は、ＲＦＩＤタグ４０を取付けた医科歯科用ハンドピース３０の斜視図である。医科歯科用ハンドピースの一例である医科歯科用ハンドピース３０は、本体部３１と、術者が把持する把持部３２とを備えており、さらに、把持部３２とならない本体部３１の位置（特に、本体部３１の後部の外周）に、ＲＦＩＤタグ４０のバンド部４０ａと当接する外周溝３３を設けている。
【００２２】
外周溝３３は、ＲＦＩＤタグ４０のバンド部４０ａが収まるように本体部３１を一周している。しかし、外周溝３３は、ＲＦＩＤタグ４０の位置ズレや位置決めができればよく、本体部３１を一周する形状に限定されず、バンド部４０ａの一部が当接する形状であればよい。また、外周溝３３は、医科歯科用ハンドピース３０の接続部３４側の本体部３１に設けられているが、把持部３２以外の位置であれば医科歯科用ハンドピース３０のヘッド部３５側の本体部３１に設けてもよい。図２に示す医科歯科用ハンドピース３０では、接続部３４に診療装置１０から接続される水、エアー、電気などの作動媒体を供給するチューブが接続される。
【００２３】
図２（ｂ）では、バンド部４０ａが外周溝３３に収まるように、ＲＦＩＤタグ４０を医科歯科用ハンドピース３０に取付けられているので、術者が医科歯科用ハンドピース３０を使用中にＲＦＩＤタグ４０の位置がずれることがない。また、取付ける人がいずれの人であっても、バンド部４０ａが外周溝３３に収まる同じ位置にＲＦＩＤタグ４０を取付けることができる。望ましくは、バンド部４０ａの幅は、外周溝３３の幅とほぼ同じか、外周溝３３の幅よりわずかに狭くする。これによりバンド部４０ａが外周溝３３に収まる。また、バンド部４０ａの厚みは、外周溝３３の溝深さとほぼ同じにすることで、バンド部４０ａが外周溝３３に対して収まり、バンド部４０ａの一部が外周溝３３から飛び出たり落ち込んだりすることがなく、本体部３１の外周形状に沿ってバンド部４０ａを装着することができる。
【００２４】
図３は、本実施の形態１に係るＲＦＩＤタグ４０の構成を示す概略図である。図３（ａ）は、ＲＦＩＤタグ４０の正面図である。図３（ｂ）は、ＲＦＩＤタグ４０の右側面図である。図３（ｃ）は、ＲＦＩＤタグ４０の平面図である。図３（ｄ）は、ＲＦＩＤタグ４０の底面図である。ＲＦＩＤタグ４０の左側面図は、図３（ｂ）に示す右側面図と同じ図となるため省略する。
【００２５】
なお、図３に示したＲＦＩＤタグ４０において、本願を意匠登録出願に変更する場合には、図面においてＲＦＩＤタグ４０の一部の部分意匠を「意匠登録を受けようとする意匠」とすることができる。また、ＲＦＩＤタグ４０の全体形状の意匠を「意匠登録を受けようとする意匠」として意匠登録出願に変更してもよい。すなわち、図３には、それらの図面から特定できるあらゆる態様の意匠が記載されている。
【００２６】
図４および図５は、本実施の形態１に係るＲＦＩＤタグ４０を取付けた医科歯科用ハンドピース３０の構成を示す概略図である。図４（ａ）は、ＲＦＩＤタグ４０を取付けた医科歯科用ハンドピース３０の正面図である。図４（ｂ）は、ＲＦＩＤタグ４０を取付けた医科歯科用ハンドピース３０の平面図である。図４（ｃ）は、ＲＦＩＤタグ４０を取付けた医科歯科用ハンドピース３０の底面図である。図５（ａ）は、ＲＦＩＤタグ４０を取付けた医科歯科用ハンドピース３０の右側面図である。図５（ｂ）は、ＲＦＩＤタグ４０を取付けた医科歯科用ハンドピース３０の左側面図である。図５（ｃ）は、ＲＦＩＤタグ４０を取付けた医科歯科用ハンドピース３０の背面図である。
【００２７】
なお、図４および図５に示したＲＦＩＤタグ４０を取付けた医科歯科用ハンドピース３０において、本願を意匠登録出願に変更する場合には、図面においてＲＦＩＤタグ４０の部分意匠を「意匠登録を受けようとする意匠」とすることができる。また、ＲＦＩＤタグ４０の部分を除いた医科歯科用ハンドピース３０のうちの任意の意匠部分、あるいはその任意の部分と他の部分とを併せた意匠部分を「意匠登録を受けようとする意匠」とすることができる。さらには、ＲＦＩＤタグ４０を取付けた医科歯科用ハンドピース３０の全体形状の意匠を「意匠登録を受けようとする意匠」として意匠登録出願に変更してもよい。すなわち、図４および図５には、それらの図面から特定できるあらゆる態様の意匠が記載されている。
【００２８】
次に、ＲＦＩＤタグ４０と、医科歯科用ハンドピース３０の外周溝３３とのサイズについて説明する。図６は、本実施の形態１に係るＲＦＩＤタグ４０および医科歯科用ハンドピース３０の外周溝３３のサイズを説明するための概略図である。図６（ａ）に示すように、医科歯科用ハンドピース３０の外周溝３３は、幅ａで深さｄである。一方、図６（ｂ）に示すように、ＲＦＩＤタグ４０のバンド部４０ａは厚みｄ１で、図６（ｃ）に示すように、ＲＦＩＤタグ４０のバンド部４０ａは幅ａ１である。バンド部４０ａが外周溝３３に収まるようサイズであるため、外周溝３３の幅ａとバンド部４０ａの幅ａ１とはほぼ同じであり、外周溝３３の深さｄとバンド部４０ａの厚みｄ１とはほぼ同じである。
【００２９】
図６（ｂ），図６（ｃ）に示すように、ＲＦＩＣチップ４５は、ＲＦＩＣチップ４５を載置する面の高さ方向に対して、バンド部４０ａの厚みｄ１以上の位置に設けられている。つまり、バンド部４０ａが外周溝３３に収まるようにＲＦＩＤタグ４０を医科歯科用ハンドピース３０に取付けても、ＲＦＩＣチップ４５を載置する面は、医科歯科用ハンドピース３０の本体部３１の表面より外側の位置にある。そのため、ＲＦＩＣチップ４５が外周溝３３に埋もれ、本体部３１の金属に影響されて通信距離が短くなるのを回避することができる。
【００３０】
このようにＲＦＩＤタグ４０は、バンド部４０ａの厚みｄ１以上の位置にＲＦＩＣチップ４５を配置することで、本体部３１に埋め込まれる場合に比べてより広い範囲で、より遠い距離、例えば、１５ｍｍ（通常時）〜１００ｍｍ（好条件時）まで通信することが可能となる。
【００３１】
次に、ＲＦＩＤタグ４０に警告部を設けた構成について説明する。図７は、本実施の形態１に係る警告部４３を有するＲＦＩＤタグ４０の構成を説明するための概略図である。図７に示すＲＦＩＤタグ４０では、ＲＦＩＣチップ４５を実装した基板に警告部４３を設けた構成が記載されている。警告部４３は、ＲＦＩＣチップ４５と電気的に接続したＬＥＤ（Light Emitting Diode）であり、ＲＦＩＣチップ４５から供給される電力によって点灯する。この警告部４３は、ＲＦＩＤタグ４０に内蔵されているので、オートクレーブ耐性を持つと共に、保護部材４０ｂの少なくとも一部が透明部材または半透明部材で構成されることで、点灯したＬＥＤの色が外部から判別可能となる。
【００３２】
次に、図を参照しながら、ＲＦＩＣチップ４５の記憶部４４に記憶された情報について説明する。図８は本実施の形態１に係るＲＦＩＤタグ４０の内部構成を説明するためのブロック図である。パッシブ型のＲＦＩＤタグ４０は、ＲＦＩＣチップ４５を備える。ＲＦＩＣチップ４５は、通信部４１と、制御部４２と、記憶部４４とを含む。
【００３３】
通信部４１は、診療装置１０に取り付けられたリーダライタ１０ａ、後述する図１６の洗浄装置６０に取り付けられたリーダライタ６０ａ、給油装置７０に取り付けられたリーダライタ７０ａ、および滅菌装置８０に取り付けられたリーダライタ８０ａ（以下、これらをまとめて「リーダライタ」とも称する）のそれぞれが備える通信部９１と通信可能である。具体的には、ＲＦＩＤ４０がリーダライタの通信範囲にまで近づくと、ＲＦＩＤ側の通信部４１に含まれるコイル４１ａとリーダライタ側の通信部９１に含まれるコイル９１ａとの間で電磁結合が生じる。リーダライタは、ＲＦＩＤタグ４０との間で生じる電磁結合を利用して、ＲＦＩＤタグ４０に記憶された情報を読み書き可能である。また、パッシブ型のＲＦＩＤタグ４０は、リーダライタとの間で生じる電磁結合によってリーダライタから給電された電力を用いて駆動する。
【００３４】
制御部４２は、通信部４１を介してリーダライタとの間で遣り取りされた情報に基づき、記憶部４４に記憶された情報を更新したり、新たな情報を記憶部４４に記憶させたりする。
【００３５】
ＲＦＩＣチップ４５は、ＲＦＩＤタグ４０に内蔵された警告部４３に接続されている。なお、警告部４３は、ＲＦＩＣチップ４５と電気的に接続されたＬＥＤ以外のランプであってもよいし、ＲＦＩＣチップ４５と電気的に接続されたスピーカであってもよい。警告部４３がランプである場合、警告部４３は、メンテナンスエラーが生じた場合に、制御部４２による制御に基づき警告を示す点灯色で点灯または点滅する。また、警告部４３がスピーカである場合、警告部４３は、メンテナンスエラーが生じた場合に、制御部４２による制御に基づき警告を示す警告音を出力する。
【００３６】
警告部４３は、ＲＦＩＣチップ４５から供給される電力によって駆動する。前述したように、ＲＦＩＣチップ４５は、リーダライタとの間の通信で生じる電磁結合によって給電されるため、警告部４３は、通信部４１と診療装置１０などに取り付けられたリーダライタとの通信による電磁結合によって給電される。
【００３７】
記憶部４４に記憶された情報には、識別番号と、設置日と、管理番号と、術者番号と、患者番号と、警告フラグと、管理フラグと、洗浄時間と、給油時間と、滅菌時間と、洗浄回数と、給油回数と、滅菌回数とが含まれる。
【００３８】
識別番号は、ＲＦＩＤタグ４０が取り付けられた医科歯科用ハンドピース（例えば、医科歯科用ハンドピース３０）に対して個別に割り当てられた固有のシリアル番号など、医科歯科用ハンドピースを識別するための識別情報である。たとえば、図８の例では、シリアル番号などの識別番号である“Ｌ１０２Ｇ１２３４５Ｋ”を特定可能な識別情報として、「Ｌ１０２Ｇ１２３４５Ｋ−」が記憶部４４に記憶されている。ＲＦＩＤタグ４０に識別番号を記憶させておくことで、医科歯科用ハンドピースを個別に管理することができる。
【００３９】
設置日は、医科歯科用ハンドピースの使用が開始された日または医科歯科用ハンドピースが製造された日などを特定するための日付情報である。たとえば、図８の例では、設置日である“２０１８年１月２２日”を特定可能な日付情報として、「１８０１２２−１」が記憶部４４に記憶されている。ＲＦＩＤタグ４０に設置日を記憶させておくことで、医科歯科用ハンドピースの使用期間および残りの保証期間などを管理することができる。
【００４０】
管理番号は、識別番号とは別に院内や大学内などで医科歯科用ハンドピースを個別に管理するために医科歯科用ハンドピースに対して割り当てられた識別情報である。たとえば、図８の例では、管理番号である“Ｋ０１０”を特定可能な識別情報として、「Ｋ０１０」が記憶部４４に記憶されている。ＲＦＩＤタグ４０に管理番号を記憶させておくことで、医科歯科用ハンドピースを限られた範囲内で個別に管理することができる。
【００４１】
術者番号は、医科歯科用ハンドピースを使用する術者を識別するための識別情報である。たとえば、各術者に対して「Ａ」〜「Ｚ」のうちのいずれかの術者番号が割り当てられており、図８の例では、術者番号として「Ｃ」を特定可能な識別情報が記憶部４４に記憶されている。
【００４２】
患者番号は、医科歯科用ハンドピースを使用した治療が行われる患者を識別するための識別情報である。たとえば、各患者に対して「００１」〜「９９９」のうちのいずれかの患者番号が割り当てられており、図８の例では、患者番号として「２３０」を特定可能な識別情報が記憶部４４に記憶されている。
【００４３】
警告フラグは、メンテナンスエラーの有無を特定可能なフラグである。たとえば、メンテナンスエラーがない場合には警告フラグとして「０」が割り当てられ、メンテナンスエラーがある場合には警告フラグとして「１」が割り当てられている。図８の例では、警告フラグとして、メンテナンスエラーがない旨を示す「０」が記憶部４４に記憶されている。ＲＦＩＤタグ４０に警告フラグを記憶させておくことで、メンテナンスエラーの有無を管理することができる。
【００４４】
管理フラグは、メンテナンスにおける各工程の処理が行われたか否かを特定可能なフラグであって、予め決められた工程順で複数の処理装置のそれぞれによって処理が行われたか否かを特定可能な態様で記憶部４４に記憶されている。たとえば、洗浄工程、給油工程、および滅菌工程のそれぞれに対して、未処理の場合にはフラグ情報として「０」が割り当てられ、処理済みの場合にはフラグ情報として「１」が割り当てられている。さらに、管理フラグは３桁で構成されており、１桁目に洗浄工程に対応するフラグ情報、２桁目が給油工程に対応するフラグ情報、および３桁目に滅菌工程に対応するフラグ情報が配置されている。
【００４５】
管理フラグにおいては、仮に全ての工程が完了している場合には「１１１」が記憶部４４に記憶され、いずれの工程も完了していない場合には「０００」が記憶部４４に記憶される。図８の例では、管理フラグとして、「１１０」が記憶部４４に記憶されている。すなわち、１桁目は「１」であるため、洗浄処理が済みである旨を特定可能であり、２桁目は「１」であるため、給油処理が済みである旨を特定可能であり、３桁目は「０」であるため、滅菌処理が済みでない旨を特定可能である。ＲＦＩＤタグ４０に管理フラグを記憶させておくことで、メンテナンスにおける各工程の処理が行われたか否か、および予め決められた工程順で複数の処理装置のそれぞれによって処理が行われたか否かを管理することができる。
【００４６】
洗浄時間は、洗浄が行われた時刻を特定するための時間情報である。たとえば、図８の例では、洗浄が行われた時刻である“１２時５０分”を特定可能な時間情報として、「１２５０」が記憶部４４に記憶されている。ＲＦＩＤタグ４０に洗浄時間を記憶させておくことで、洗浄が行われた時刻を管理することができる。
【００４７】
給油時間は、給油が行われた時刻を特定するための時間情報である。たとえば、図８の例では、給油が行われた時刻である“１３時１５分”を特定可能な時間情報として、「１３１５」が記憶部４４に記憶されている。ＲＦＩＤタグ４０に給油時間を記憶させておくことで、給油が行われた時刻を管理することができる。
【００４８】
滅菌時間は、滅菌が行われた時刻を特定するための時間情報である。たとえば、図８の例では、滅菌が行われた時刻である“１３時４０分”を特定可能な時間情報として、「１３４０」が記憶部４４に記憶されている。ＲＦＩＤタグ４０に滅菌時間を記憶させておくことで、滅菌が行われた時刻を管理することができる。
【００４９】
なお、洗浄時間、給油時間、および滅菌時間などの処理時間は、管理フラグと同様に、メンテナンスにおける各工程の処理が行われたか否か、および予め決められた工程順で複数の処理装置のそれぞれによって処理が行われたか否かを管理することができる情報であるため、「特定情報」の一実施形態である。
【００５０】
洗浄回数は、医科歯科用ハンドピースに対して洗浄が行われた総回数を特定するための回数情報である。たとえば、図８の例では、洗浄が行われた回数である“１０５回”を特定可能な回数情報として、「０１０５」が記憶部４４に記憶されている。ＲＦＩＤタグ４０に洗浄回数を記憶させておくことで、洗浄が行われた総回数を管理することができる。
【００５１】
給油回数は、医科歯科用ハンドピースに対して給油が行われた総回数を特定するための回数情報である。たとえば、図８の例では、給油が行われた回数である“１０５回”を特定可能な回数情報として、「０１０５」が記憶部４４に記憶されている。ＲＦＩＤタグ４０に給油回数を記憶させておくことで、給油が行われた総回数を管理することができる。
【００５２】
滅菌回数は、医科歯科用ハンドピースに対して滅菌が行われた総回数を特定するための回数情報である。たとえば、図８の例では、滅菌が行われた回数である“１０５回”を特定可能な回数情報として、「０１０５」が記憶部４４に記憶されている。ＲＦＩＤタグ４０に滅菌回数を記憶させておくことで、滅菌が行われた総回数を管理することができる。
【００５３】
さらに、記憶部４４には、拡張領域（空き領域）が確保されており、将来的に新たな情報を拡張領域に追加して記憶することも可能である。記憶部４４は、この拡張領域において、様々な情報を格納することが可能である。たとえば、拡張領域は、術者が個別に運用管理するための情報を追加して格納することが可能である。拡張領域に記憶された情報を含めて記憶部４４に記憶された情報は、たとえば、リーダライタ１０ａによって読み取られ、コンピュータ２０に接続されたクラウド上のサーバにおいて記憶、管理することができる。このように構成することで、記憶容量の大きなクラウド上のサーバによって、各医科歯科用ハンドピース４における記憶部４４の情報を、各医科歯科用ハンドピース４と紐付けて記憶することができるため、万一ＲＦＩＤタグ４０が破損しても、各医科歯科用ハンドピース４における記憶部４４の情報をバックアップとしてクラウド上のサーバで継承して管理することができる。
【００５４】
図８に示した記憶部４４における記憶情報は、一例であり、その他の情報が記憶されるものであってもよいし、さらに、図８と異なる態様で記憶されていてもよい。
【００５５】
（医療用診療装置）
次に、ＲＦＩＤタグ４０から識別番号を読み取る読み取り装置を設けた歯科用診療装置を代表的な例とする医療用診療装置について説明する。図９は、本実施の形態１に係る医療用診療装置の構成を説明するための概略図である。図９では、医療用診療装置（以下、診療装置とも称する）を背もたれ１ｂ後方から見た図が図示されている。診療装置１０は、診療椅子１と、トレーテーブル３と、表示モニタ６とを備える。診療椅子１は、患者の頭を支えるヘッドレスト１ａと、患者の背中を支える背もたれ１ｂとを備える。背もたれ１ｂの背面に、ＲＦＩＤタグ４０に対して情報を読み書きするリーダライタ１０ａが設けられている。そのため、診療椅子１に患者を座らせて、術者が患者を治療する際に、医科歯科用ハンドピース３０に取付けたＲＦＩＤタグ４０をリーダライタ１０ａに読取らせることが容易になる。ＲＦＩＤタグ４０のリーダライタ１０ａは、背もたれ１ｂの背面や側面、トレーテーブル３の近傍、照明装置７など術者が無理な姿勢になること無しに手を伸ばせる範囲内に配置されておればよい。
【００５６】
診療装置１０は、トレーテーブル３に２次元識別コードリーダ１０ｂを設けている。ＲＦＩＤタグ４０は、医科歯科用ハンドピース３０の識別番号を記憶しているが、医科歯科用ハンドピース３０から取り外すことが可能である。そのため、誤って識別番号の異なる医科歯科用ハンドピース３０にＲＦＩＤタグ４０を取付ける可能性がある。そこで、医科歯科用ハンドピース３０には、識別番号をあらかじめ２次元識別コードとして付してある。図１０は、本実施の形態１に係る２次元識別コードを有する医科歯科用ハンドピース３０の構成を説明するための概略図である。２次元識別コードリーダ１０ｂは、ＲＦＩＤタグ４０のリーダライタ１０ａと同様の位置に配置されてもよい。
【００５７】
図１０に示す医科歯科用ハンドピース３０では、ＲＦＩＤタグ４０の近傍の本体部３１にレーザーマーカで医科歯科用ハンドピース３０の識別番号を２次元識別コード４００として付してある。なお、図１０では、医科歯科用ハンドピース３０の識別番号を２次元識別コード４００として付してあるが、バーコードのような１次元識別コードでもよい。また、２次元識別コード４００を設ける位置は、医科歯科用ハンドピース３０のいずれに位置でもよいが、コードの磨耗などを考慮して把持部３２以外の位置、望ましくは本体部３１の後方部外周であることが望ましい。さらに、２次元識別コード４００は、レーザーマーカで医科歯科用ハンドピース３０に付す以外に、印刷等で医科歯科用ハンドピース３０に付してもよい。
【００５８】
（識別番号の確認）
次に、医科歯科用ハンドピース３０に取付けたＲＦＩＤタグ４０の識別番号が正しいか否かを確認する処理について説明する。図１１は、本実施の形態１に係るＲＦＩＤタグ４０の識別番号の確認処理を説明するためのフローチャートである。まず、診療装置１０は、２次元識別コードリーダ１０ｂで医科歯科用ハンドピース３０に付した２次元識別コード４００を読み取ったか否かを判断する（ステップＳ１０１）。２次元識別コードリーダ１０ｂで２次元識別コード４００を読み取っていない場合（ステップＳ１０１でＮＯ）、診療装置１０は、処理をステップＳ１０１に戻し、２次元識別コード４００の読み取り待ちを継続する。
【００５９】
２次元識別コードリーダ１０ｂで２次元識別コード４００を読み取った場合（ステップＳ１０１でＹＥＳ）、診療装置１０は、表示モニタ６にＲＦＩＤタグ４０の読み取りを促す表示を行う（ステップＳ１０２）。次に、診療装置１０は、リーダライタ１０ａで医科歯科用ハンドピース３０に取付けたＲＦＩＤタグ４０を読み取ったか否かを判断する（ステップＳ１０３）。リーダライタ１０ａでＲＦＩＤタグ４０を読み取っていない場合（ステップＳ１０３でＮＯ）、診療装置１０は、処理をステップＳ１０２に戻し、表示モニタ６にＲＦＩＤタグ４０の読み取りを促す表示を継続する。
【００６０】
リーダライタ１０ａでＲＦＩＤタグ４０を読み取った場合（ステップＳ１０３でＹＥＳ）、診療装置１０は、２次元識別コードリーダ１０ｂで読み取った２次元識別コード４００の識別番号と、リーダライタ１０ａで読み取ったＲＦＩＤタグ４０の識別番号とが一致するか否かを判断する（ステップＳ１０４）。２次元識別コード４００の識別番号と、ＲＦＩＤタグ４０の識別番号とが一致した場合（ステップＳ１０４でＹＥＳ）、診療装置１０は、表示モニタ６に識別番号が一致した旨の表示を行う（ステップＳ１０５）。
【００６１】
２次元識別コード４００の識別番号と、ＲＦＩＤタグ４０の識別番号とが一致しない場合（ステップＳ１０４でＮＯ）、診療装置１０は、表示モニタ６に識別番号が不一致である旨の表示を行う（ステップＳ１０６）。さらに、診療装置１０は、リーダライタ１０ａでＲＦＩＤタグ４０に不一致情報（例えば、警告フラグ）をＲＦＩＣチップ４５の記憶部４４（図８参照）に書込む（ステップＳ１０７）。なお、医科歯科用ハンドピース３０に２次元識別コード４００が付されていなくても、医科歯科用ハンドピース３０に付されたシリアル番号や製造番号などから、誤って識別番号の異なる医科歯科用ハンドピース３０にＲＦＩＤタグ４０を取付けたことを判断できる。
【００６２】
（ＲＦＩＤタグでの警告）
図７で示したように警告部４３を備えたＲＦＩＤタグ４０であれば、ステップＳ１０７で書き込まれた不一致情報に基づき、ＲＦＩＤタグ４０自体で警告を行うことが可能である。以下の具体的な処理についてフローチャートを用いて説明する。図１２は、本実施の形態１に係るＲＦＩＤタグ４０での警告処理を説明するためのフローチャートである。まず、ＲＦＩＤタグ４０の制御部４２（図８参照）は、リーダライタ１０ａによりＲＦＩＤタグ４０が読取られたか否かを判断する（ステップＳ２０１）。特に、ＲＦＩＤタグ４０がパッシブ型のＲＦＩＣチップを使用している場合、リーダライタ１０ａにより読み取られなければ電力が供給されないので処理自体が実行されない。リーダライタ１０ａによりＲＦＩＤタグ４０が読取られていない場合（ステップＳ２０１でＮＯ）、制御部４２は、処理をステップＳ２０１に戻し、ＲＦＩＤタグ４０の読み取り待ちを継続する。
【００６３】
リーダライタ１０ａによりＲＦＩＤタグ４０が読取られた場合（ステップＳ２０１でＹＥＳ）、制御部４２は、ＲＦＩＤタグ４０の記憶部４４に不一致情報が書込まれているか否かを判断する（ステップＳ２０２）。記憶部４４に不一致情報が書込まれている場合（ステップＳ２０２でＹＥＳ）、制御部４２は、リーダライタ１０ａの読み取りで供給された電力を利用して、警告部４３のＬＥＤを赤色で点灯する（ステップＳ２０３）。記憶部４４に不一致情報が書込まれていない場合（ステップＳ２０２でＮＯ）、制御部４２は、リーダライタ１０ａの読み取りで供給された電力を利用して、警告部４３のＬＥＤを緑色で点灯する（ステップＳ２０４）。
【００６４】
図１２では、警告部４３として設けられるＬＥＤが、カラーＬＥＤまたは赤と緑の２色のＬＥＤであることを前提に説明したが、単色のＬＥＤであってもよい。例えば、警告部４３が赤色単色のＬＥＤであれば、記憶部４４に不一致情報が書込まれている場合（ステップＳ２０２でＹＥＳ）、制御部４２は、リーダライタ１０ａの読み取りで供給された電力を利用して、警告部４３のＬＥＤを赤色で点灯する。しかし、記憶部４４に不一致情報が書込まれていない場合（ステップＳ２０２でＮＯ）、制御部４２は、警告部４３のＬＥＤを点灯しない。
【００６５】
なお、制御部４２は、ＲＦＩＤタグ４０に記憶された不一致情報に基づいて警告部４３で警告を行う場合のみではなく、ＲＦＩＤタグ４０に記憶されたメンテナンス情報などの情報に基づいて他の警告を行ってもよい。例えば、制御部４２は、ＲＦＩＤタグ４０に記憶されたメンテナンス情報に基づき、洗浄や殺菌などの処理が正しい順序で行われていないことを、警告部４３のＬＥＤを黄色で点灯することで警告してもよい。また、制御部４２は、ＲＦＩＤタグ４０に記憶されたメンテナンス情報に基づき、消耗品の交換時期が近づいていることを警告部４３のＬＥＤを点滅させることで示してもよい。
【００６６】
以上のように、本実施の形態１に係るＲＦＩＤタグ４０は、医科歯科用ハンドピース（例えば、医科歯科用ハンドピース３０）に取付けることが可能なリング状のバンド部４０ａと、バンド部４０ａの一部に設けられ、識別番号を記憶したＲＦＩＣチップ４５と、バンド部４０ａ上でＲＦＩＣチップ４５を密封する耐熱性の保護部材４０ｂとを備えている。これにより、ＲＦＩＤタグ４０は、洗浄や滅菌などの処理に対して十分な耐性を確保しつつ、医科歯科用ハンドピースに対して取付けることで、既存の医科歯科用ハンドピースに対しても個々の医科歯科用ハンドピースを識別して管理することが可能となる。
【００６７】
また、保護部材４０ｂは、ＲＦＩＣチップ４５を覆う部分の形状が凸曲面状であることが好ましい。これにより、ＲＦＩＤタグ４０は、リーダライラからの電波を図示していないアンテナで受信し易くなるとともに、術者がＲＦＩＤタグ４０を医科歯科用ハンドピースに取付けても邪魔にならない。
【００６８】
さらに、ＲＦＩＣチップ４５は、少なくとも一面がＲＦＩＣチップ４５を載置する面の高さ方向に対して、バンド部４０ａの厚み以上の位置に設けることが好ましい。これにより、ＲＦＩＤタグ４０が、より広い範囲で、より遠い距離まで通信することが可能となる。
【００６９】
また、バンド部４０ａは、弾性を有する材料（例えば、合成ゴム）で形成されることが好ましい。これにより、ＲＦＩＤタグ４０は、医科歯科用ハンドピースに取付けやすくなる。
【００７０】
さらに、ＲＦＩＣチップ４５は、取付ける医科歯科用ハンドピースの識別番号に加え、医科歯科用ハンドピースのメンテナンス情報、医科歯科用ハンドピースに装着される部品の識別情報および医科歯科用ハンドピースの操作設定情報のうち少なくとも１つの情報を記憶してもよい。これにより、ＲＦＩＤタグ４０に記憶されている情報を利用して適切な処理が可能となる。
【００７１】
また、取付ける医科歯科用ハンドピースは、医科用ハンドピースまたは歯科用ハンドピースであって、例えば、歯科用ハンドピースとしては、歯科用エアタービンハンドピース、歯科用マイクロモータハンドピース、歯科用スリーウェイハンドピース、歯科用スケーラハンドピース、医療用レーザハンドピース、口腔内カメラ、口腔内スキャナ、歯科用バキュームハンドピース、歯科用サライバエジェクター、歯科用根管治療用マイクロモータハンドピース、歯科用根管バキュームハンドピース、および歯科用光重合照射器のうちいずれかが挙げられる。また、医科用ハンドピースとしては、口腔外科用ハンドピース、耳鼻科用ハンドピース、一般外科用ハンドピースが挙げられる。これらの医科歯科用ハンドピースでは、電気モータ、エアタービンなどの駆動源を持って施術に使用するものや、レーザハンドピースのような光を照射するもの、水やエアーを噴射するものなどがあり、さらには、診察に使用するものもあり、いずれであっても術者が手に持って使用する外形が筒体形状の医療用器具や医療用診療装置であればすべて含まれる概念である。
【００７２】
さらに、ＲＦＩＣチップ４５は、パッシブ型のＲＦＩＣチップで、ＨＦ帯からＵＨＦ帯までの周波数帯で動作するものが好ましい。これにより、ＲＦＩＤタグ４０は、コストを低減することができる。
【００７３】
また、ＲＦＩＣチップ４５に記憶した情報に基づき警告を行う警告部４３をさらに備えてもよい。これにより、ＲＦＩＤタグ４０自体で警告を行うことが可能となる。
【００７４】
さらに、警告部４３は、保護部材４０ｂに密封されたＬＥＤであることが好ましい。警告部４３が保護部材４０ｂに密封されていることで洗浄や滅菌などの処理に対して十分な耐性を確保することができる。また、警告部４３をＬＥＤとすることでパッシブ型のＲＦＩＣチップから供給するわずかな電力で動作させることができる。
【００７５】
本実施の形態１に係る医科歯科用ハンドピース３０では、本体部３１と、本体部３１に設けられ、術者が把持する把持部３２と、把持部３２とならない本体部３１の位置に、上記のＲＦＩＤタグ４０とを備えている。これにより、洗浄や滅菌などの処理に対して十分な耐性を確保しつつ、既存の医科歯科用ハンドピースに対しても個々の医科歯科用ハンドピースを識別して管理することが可能となる。
【００７６】
さらに、把持部３２とならない本体部３１の位置に、ＲＦＩＤタグ４０のバンド部４０ａと当接する外周溝３３を設けることが好ましい。これにより、ＲＦＩＤタグ４０を医科歯科用ハンドピース３０に取付けた際の位置ズレを防止し、取付ける位置にあわせ易くなる。
【００７７】
また、外周溝３３の幅は、ＲＦＩＤタグ４０のバンド部４０ａの幅が収まる幅であることが好ましい。これにより、ＲＦＩＤタグ４０のバンド部４０ａと本体部３１とが連続した面となるように、ＲＦＩＤタグ４０を医科歯科用ハンドピース３０に取付けることができる。
【００７８】
さらに、外周溝３３の深さは、ＲＦＩＤタグ４０のバンド部４０ａの厚みが収まる深さであることが好ましい。これにより、ＲＦＩＤタグ４０のバンド部４０ａと本体部３１とが連続した面となるように、ＲＦＩＤタグ４０を医科歯科用ハンドピース３０に取付けることができる。
【００７９】
また、本体部３１に識別番号を１次元または２次元のコードとして付してあることが好ましい。これにより、ＲＦＩＤタグ４０に記憶させた識別番号の医科歯科用ハンドピース３０に当該ＲＦＩＤタグ４０が取付けられているか否かを確認することが容易になる。
【００８０】
さらに、ＲＦＩＣチップ４５は、本体部３１に付した識別番号と同じ識別番号を記憶していることが好ましい。これにより、ＲＦＩＤタグ４０に記憶させた識別番号の医科歯科用ハンドピース３０に当該ＲＦＩＤタグ４０が取付けられているか否かを確認することが容易になる。なお、ＲＦＩＤタグ４０に記憶させる識別番号と、本体部３１に付した識別番号と同じ識別番号である場合に限定されず、ＲＦＩＤタグ４０に記憶させる識別番号と、本体部３１に付した識別番号とが何らかの方法（例えば、対応表など）で関連付けられていればよい。
【００８１】
また、ＲＦＩＣチップ４５は、２次元識別コードリーダ１０ｂで読み取った本体部３１に付した識別番号とリーダライタ１０ａで読み取ったＲＦＩＣチップ４５に記憶する識別番号とが不一致の場合、不一致を示す情報（例えば、警告フラグ）が記憶される。これにより、ＲＦＩＤタグ４０が正しい医科歯科用ハンドピース３０に取付けられていないことを確認し易くなる。
【００８２】
さらに、本実施の形態１に係る医科歯科用ハンドピース３０が、本体部３１と、本体部３１に設けられ、術者が把持する把持部３２と、把持部３２とならない本体部３１の位置に、警告部４３を有するＲＦＩＤタグ４０とを備えてもよい。このような構成であれば、本体部３１に付した識別番号と同じ識別番号をＲＦＩＣチップ４５に記憶させてある場合に、２次元識別コードリーダ１０ｂで読み取った本体部３１に付した識別番号とリーダライタ１０ａで読み取ったＲＦＩＣチップ４５に記憶する識別番号とが不一致のときには不一致情報がＲＦＩＣチップ４５に記憶され、警告部４３は、ＲＦＩＣチップ４５に記憶された不一致情報に基づき警告を行うことができる。
【００８３】
（実施の形態２）
実施の形態１では、ＲＦＩＤタグ４０に警告部４３を設け、ＲＦＩＣチップ４５に記憶された不一致情報に基づき警告を行う構成について説明した。実施の形態２では、ＲＦＩＤタグ４０に警告部４３を設けていない場合であっても、ＲＦＩＣチップ４５に記憶された不一致情報を医療用診療装置で報知することができる構成について説明する。
【００８４】
まず、診療装置１０について詳しく説明する。図１３は、本実施の形態２に係る医療用診療装置の構成を説明するためのブロック図である。図１３に示すように、診療装置１０は、診療椅子１と、フートコントローラ５と、トレーテーブル３（図９参照）と、制御装置９と、インスツルメントホルダ５０と、操作パネル８と、表示モニタ６と、ベースンユニット２と、照明装置（例えば、無影灯）７とを備える。
【００８５】
診療椅子１は、患者の頭を支えるヘッドレスト１ａと、患者の背中を支える背もたれ１ｂと、患者のお尻を支える座面シート１ｃと、患者の足を支える足置き台１ｄと、シート駆動部１１とを備える。シート駆動部１１は、チェア制御基板上に実装されたＣＰＵ（Central Processing Unit）、ＲＯＭ（Read Only Memory）、およびＲＡＭ（Random Access Memory）などによって構成され、ヘッドレスト１ａ、背もたれ１ｂ、座面シート１ｃ、および足置き台１ｄのそれぞれの駆動を制御する。図９に示したように、背もたれ１ｂの背面に、ＲＦＩＤタグ４０に対して情報を読み書きするリーダライタ１０ａが設けられている。リーダライタ１０ａを設ける位置は、術者が患者を治療する際に、医科歯科用ハンドピース３０に取付けたＲＦＩＤタグ４０をリーダライタ１０ａに読取らせることが容易な位置であれば何れの位置であってもよい。
【００８６】
たとえば、座面シート１ｃは、シート駆動部１１の制御に基づき上昇または下降する。ヘッドレスト１ａ、背もたれ１ｂ、および足置き台１ｄのそれぞれは、シート駆動部１１の制御に基づき座面シート１ｃに対して垂直方向または水平方向に移動する。ヘッドレスト１ａ、背もたれ１ｂ、および足置き台１ｄが座面シート１ｃに対して垂直方向に移動すると、診療椅子１に座った患者が座位姿勢になる。ヘッドレスト１ａ、背もたれ１ｂ、および足置き台１ｄが座面シート１ｃに対して水平方向に移動すると、診療椅子１に座った患者が仰向け姿勢になる。このように、シート駆動部１１は、ヘッドレスト１ａ、背もたれ１ｂ、座面シート１ｃ、および足置き台１ｄを駆動させて診療椅子１の姿勢を変更する。
【００８７】
フートコントローラ５は、術者の足踏操作を受け付ける複数のスイッチ（ペダル）を有する。術者は、これら複数のスイッチそれぞれに対して所定の機能を割り当てることができる。
【００８８】
たとえば、術者は、診療椅子１の姿勢を変更する機能をフートコントローラ５のスイッチに対して割り当てることができる。術者が、診療椅子１の姿勢を変更する機能が割り当てられたスイッチを足踏操作すると、フートコントローラ５は、シート駆動部１１に制御信号を出力する。シート駆動部１１は、制御信号に基づき、ヘッドレスト１ａ、背もたれ１ｂ、座面シート１ｃ、および足置き台１ｄを駆動させる。
【００８９】
また、術者は、医科歯科用ハンドピース４を駆動する機能をフートコントローラ５のスイッチに対して割り当てることができる。術者が、医科歯科用ハンドピース４を駆動する機能が割り当てられたスイッチを足踏操作すると、フートコントローラ５は、医科歯科用ハンドピース駆動部１４に制御信号を出力する。医科歯科用ハンドピース駆動部１４は、制御信号に基づき医科歯科用ハンドピース４の駆動を制御する。なお、図１３においては、医科歯科用ハンドピース駆動部１４が「ハンドピース駆動部１４」として示されている。
【００９０】
なお、フートコントローラ５のスイッチには、照明装置７の照明および消灯を制御する機能など、その他の機能を割り当てることもできる。
【００９１】
トレーテーブル３は、診療時の物置台として用いられる。トレーテーブル３は、診療椅子１または床から延びるアーム（図示は省略する）に接続されている。このため、術者は、トレーテーブル３を診療椅子１に対して手動で回動、水平移動、および垂直移動させることが可能である。なお、トレーテーブル３に２次元識別コードリーダ１０ｂを設けている。２次元識別コードリーダ１０ｂを設ける位置は、術者が患者を治療する際に、医科歯科用ハンドピース３０に付した２次元識別コードを２次元識別コードリーダ１０ｂに読取らせることが容易な位置であれば何れの位置であってもよい。
【００９２】
制御装置９は、トレーテーブル３の下部に設けられている。制御装置９には、診療椅子１と、複数の医科歯科用ハンドピース４と、インスツルメントホルダ５０と、ベースンユニット２と、操作パネル８と、表示モニタ６と、リーダライタ１０ａと、２次元識別コードリーダ１０ｂとが接続されている。制御装置９は、操作制御部１２、医科歯科用ハンドピース駆動部１４、表示モニタ制御部１５、および医科歯科用ハンドピース４の取上げ検出部１９を備える。これらの各部は、いずれも、操作制御基板、駆動制御基板、モニタ制御基板、および医科歯科用ハンドピース４の取上げ検出制御基板上に実装されたＣＰＵ、ＲＯＭ、およびＲＡＭなどによって構成される。
【００９３】
医科歯科用ハンドピース４は、たとえば、エアタービンハンドピース、マイクロモータハンドピース、スケーラ、レーザハンドピース、スリーウェイシリンジ、およびバキュームシリンジなどの歯科診療用のインスツルメントである。なお、医科歯科用ハンドピース４は、これらに限らず、口腔内カメラ、光重合用照射器、根管長測定器、３次元スキャナおよび根管拡大器などであってもよいし、デンタルミラーや注射器、充填器具など、駆動しない器具であってもよい。
【００９４】
診療装置１０においては、医科歯科用ハンドピース４ａ〜４ｅの５種類が用いられる。たとえば、医科歯科用ハンドピース４ａおよび医科歯科用ハンドピース４ｂは、例えば、図２で示した医科歯科用ハンドピース３０のようなエアタービンハンドピースである。医科歯科用ハンドピース４ｃは、マイクロモータハンドピースである。医科歯科用ハンドピース４ｄは、スケーラである。医科歯科用ハンドピース４ｅは、スリーウェイシリンジである。なお、図１３においては、医科歯科用ハンドピース４ａ〜４ｅがそれぞれ「ハンドピース４ａ」、「ハンドピース４ｂ」、「ハンドピース４ｃ」、「ハンドピース４ｃ」、「ハンドピース４ｄ」、および「ハンドピース４ｅ」として示されている。
【００９５】
各医科歯科用ハンドピース４は、インスツルメントホルダ５０によって保持される。医科歯科用ハンドピース４がインスツルメントホルダ５０から取り出されると、インスツルメントホルダ５０による保持が解除され、医科歯科用ハンドピース４が選択された状態（被選択状態と称する）になる。
【００９６】
各医科歯科用ハンドピース４は、制御装置９が備える医科歯科用ハンドピース駆動部１４に接続されている。医科歯科用ハンドピース駆動部１４は、フートコントローラ５に対する術者の足踏操作に基づき各医科歯科用ハンドピース４を駆動する。たとえば、術者が、フートコントローラ５におけるエアタービンハンドピースを駆動するためのスイッチを足踏操作すると、医科歯科用ハンドピース駆動部１４は、エアタービンハンドピースのヘッド部に保持される切削工具を回転させる。このように、医科歯科用ハンドピース駆動部１４は、フートコントローラ５に対する術者の操作に基づき医科歯科用ハンドピース４を駆動する。なお、各医科歯科用ハンドピース４には、図１０で示した医科歯科用ハンドピース３０のように、本体部に２次元識別コードが付され、当該２次元識別コードの識別番号と同じ識別番号を記憶したＲＦＩＤタグ４０が取り付けてある。
【００９７】
インスツルメントホルダ５０は、各医科歯科用ハンドピース４を保持する保持部材である。インスツルメントホルダ５０は、制御装置９が備える医科歯科用ハンドピース４の取上げ検出部１９を介して操作制御部１２に接続されている。医科歯科用ハンドピース４の取上げ検出部１９は、医科歯科用ハンドピース４に対するインスツルメントホルダ５０による保持が解除されたことを特定するとともに、その特定結果を示す信号を操作制御部１２に出力する。操作制御部１２は、医科歯科用ハンドピース４の取上げ検出部１９からの信号に基づき被選択状態の医科歯科用ハンドピース４を特定する。
【００９８】
ベースンユニット２は、診療椅子１の側部に備え付けられている。ベースンユニット２は、排水口が形成された鉢と、コップが載置されるコップ台と、コップに給水するための給水栓とを備える。患者は、給水栓によってコップに給水された水を用いてうがいをすることができる。
【００９９】
図２に示すように、ベースンユニット２は、ベースン制御部１６を備えている。ベースン制御部１６は、診療装置１０で用いられる水の流れを制御する。ベースン制御部１６は、ベースン制御基板上に実装されたＣＰＵ、ＲＯＭ、およびＲＡＭなどによって構成される。
【０１００】
さらに、ベースンユニット２は、照明制御部１７を備えている。照明制御部１７は、照明装置７の照明および消灯を制御する。このように、照明制御部１７は、照明装置７の照明および消灯を制御する。照明制御部１７は、照明制御基板上に実装されたＣＰＵ、ＲＯＭ、およびＲＡＭなどによって構成される。
【０１０１】
また、ベースンユニット２は、診療装置１０内の情報を収集する情報収集部１８を備えている。特に、リーダライタ１０ａで読み取ったＲＦＩＤタグ４０に記憶されている医科歯科用ハンドピース４の識別番号、不一致情報、メンテナンス情報などの情報や、２次元識別コードリーダ１０ｂで読み取った医科歯科用ハンドピース４の識別番号の情報を収集することができる。情報収集部１８は、情報収集基板上に実装されたＣＰＵ、ＲＯＭ、およびＲＡＭなどによって構成され、ベースンユニット２の保守扉２ｄの内側に設けられている。そのため、所定の工具を用いて保守扉２ｄを開けなければ、情報収集基板からメモリ１８ｂを取外すことができない。
【０１０２】
情報収集基板には、コンピュータ２０に対して収集した情報を出力するための出力ポート１８ａが設けられており、保守作業者が保守扉２ｄを開け、出力ポート１８ａにコンピュータ２０からの配線を接続することで、収集した情報を取り出すことができる。もちろん、出力ポート１８ａを介してコンピュータ２０と診療装置１０の情報収集部１８とが常時接続される構成でもよい。
【０１０３】
情報収集部１８で収集した医科歯科用ハンドピース４の識別番号、不一致情報、メンテナンス情報などの情報をコンピュータ２０で分析することで、医科歯科用ハンドピース４の滅菌処理の有無、消耗品の交換時期などのメンテナンスについて容易に管理することが可能となる。なお、コンピュータ２０と診療装置１０との接続は、出力ポート１８ａを介して有線で接続される場合を説明したが、無線で接続されてもよい。また、ベースンユニット２に診療装置１０内の情報を収集する情報収集部１８を備えていると説明したが、制御装置９などベースンユニット２以外に情報収集部１８を備えてもよく、ベースンユニット２以外に設けた情報収集部１８にコンピュータ２０を接続すればよい。さらに、コンピュータ２０とクラウド上のサーバとを、ネットワーク回線を介して接続してもよい。コンピュータ２０がクラウド上のサーバと接続することで、メンテナンス情報の共有や消耗品の発注など容易になる。
【０１０４】
表示モニタ６は、制御装置９が備える表示モニタ制御部１５を介して操作制御部１２に接続されている。表示モニタ制御部１５は、操作制御部１２からの指令に基づき、画像および操作画像に関連した関連画像などを表示モニタ６に表示させる。
【０１０５】
（診療装置での警告）
次に、図１３で示した診療装置１０において、誤って識別番号の異なる医科歯科用ハンドピース３０にＲＦＩＤタグ４０を取付けたことを警告する処理について説明する。なお、誤って識別番号の異なる医科歯科用ハンドピース３０に取付けられたＲＦＩＤタグ４０には、図１１で説明した識別番号の確認処理が行われ不一致情報が予め記憶されているものとする。図１４は、本実施の形態２に係る診療装置１０での警告処理を説明するためのフローチャートである。まず、診療装置１０の制御装置９（特に、操作制御部１２）は、リーダライタ１０ａによりＲＦＩＤタグ４０が読取られたか否かを判断する（ステップＳ３０１）。リーダライタ１０ａによりＲＦＩＤタグ４０が読取られていない場合（ステップＳ３０１でＮＯ）、制御装置９は、処理をステップＳ３０１に戻し、ＲＦＩＤタグ４０の読み取り待ちを継続する。
【０１０６】
リーダライタ１０ａによりＲＦＩＤタグ４０が読取られた場合（ステップＳ３０１でＹＥＳ）、制御装置９は、ＲＦＩＤタグ４０の記憶部４４に不一致情報が書込まれているか否かを判断する（ステップＳ３０２）。記憶部４４に不一致情報が書込まれている場合（ステップＳ３０２でＹＥＳ）、制御装置９は、誤って識別番号の異なる医科歯科用ハンドピース３０にＲＦＩＤタグ４０を取付けたことを警告する警告表示を表示モニタ６に表示する（ステップＳ３０３）。具体的に、操作制御部１２は、表示モニタ制御部１５に対して警告表示を表示モニタ６に表示するように制御する。
【０１０７】
さらに、制御装置９は、誤ったＲＦＩＤタグ４０が取り付けられた医科歯科用ハンドピース３０への制御信号を停止する（ステップＳ３０４）。具体的に、操作制御部１２は、医科歯科用ハンドピース駆動部１４に対して、誤ったＲＦＩＤタグ４０が取り付けられた医科歯科用ハンドピース３０へ制御信号を送信しないように制御し、当該医科歯科用ハンドピース３０が使用できないようする。
【０１０８】
一方、記憶部４４に不一致情報が書込まれていない場合（ステップＳ３０２でＮＯ）、制御装置９は、医科歯科用ハンドピース３０を正常に使用可能である表示を表示モニタ６に表示する（ステップＳ３０５）。具体的に、操作制御部１２は、表示モニタ制御部１５に対して使用可能の表示を表示モニタ６に表示するように制御する。
【０１０９】
図１４で示した処理では、誤ったＲＦＩＤタグ４０が取り付けられた医科歯科用ハンドピース３０については使用できないように制御する構成を説明したが、警告表示のみで使用できるようにしてもよい。また、ステップＳ３０３で警告表示を行った場合、術者に対して、誤ったＲＦＩＤタグ４０が取り付けられた医科歯科用ハンドピース３０の使用をするか否かの確認を行うようにしてもよい。さらに、制御装置９は、ＲＦＩＤタグ４０に記憶された不一致情報に基づいた警告のみではなく、ＲＦＩＤタグ４０に記憶されたメンテナンス情報などの情報に基づいて他の警告を行ってもよい。例えば、制御装置９は、ＲＦＩＤタグ４０に記憶されたメンテナンス情報に基づき、洗浄や殺菌などの処理が正しい順序で行われていないことを警告してもよい。また、制御装置９は、ＲＦＩＤタグ４０に記憶されたメンテナンス情報に基づき、消耗品の交換時期を表示してもよい。
【０１１０】
以上のように、本実施の形態１に係る診療装置１０では、本体部３１に付した識別番号と同じ識別番号をＲＦＩＣチップ４５に記憶しているＲＦＩＤタグ４０を取付けた医科歯科用ハンドピース３０と、本体部３１に付した識別番号およびＲＦＩＣチップ４５に記憶する識別番号を読み取る読み取り部（リーダライタ１０ａ，２次元識別コードリーダ１０ｂ）と、読み取り部で読み取った本体部３１に付した識別番号とＲＦＩＣチップ４５に記憶する識別番号とが不一致のときに報知を行う報知部（例えば、表示モニタ６）とを備えている。また、図１３に示すようにインスツルメントホルダ５０に報知部５１を設け、インスツルメントホルダ５０に保持されている医科歯科用ハンドピース４毎にＬＥＤ等の点灯で警告等の報知をしても良い。なお、表示モニタ６は、「報知部」の一実施形態であり、図示していないスピーカなどを「報知部」の一実施形態としてもよい。これにより、診療装置１０は、個々の医科歯科用ハンドピースを識別して管理することが可能となる。
【０１１１】
図１４で示した処理では、誤って識別番号の異なる医科歯科用ハンドピース３０に取付けられたＲＦＩＤタグ４０には、図１１で説明した識別番号の確認処理が行われ不一致情報が予め記憶されていることが前提であったが、診療装置１０で警告を行う場合は、不一致情報をＲＦＩＤタグ４０に予め記憶しておく必要はない。例えば、診療装置１０は、２次元識別コードリーダ１０ｂで読み取った本体部３１に付した識別番号と、リーダライタ１０ａで読み取ったＲＦＩＣチップ４５に記憶する識別番号とが不一致であれば、その旨を表示モニタ６などで表示するだけでよい。また、表示モニタ６による表示の代わりにインスツルメントホルダ５０に設けられた報知部５１で不一致を報知するようにしても良い。これらの不一致情報は、記憶部５２に記憶され、この記憶部５２の記憶データと、各ＲＦＩＣチップの記憶内容を通信して同一の記憶内容となるようにしてもよい。
【０１１２】
なお、ＲＦＩＤタグ４０に警告部４３を備えている場合、診療装置１０は、読み取った本体部３１に付した識別番号とＲＦＩＣチップ４５に記憶する識別番号とが不一致のとき、リーダライタ１０ａで不一致情報をＲＦＩＣチップ４５に記憶させる。さらに、ＲＦＩＤタグ４０の警告部４３は、リーダライタ１０ａで読み取りが行われた場合に、ＲＦＩＣチップ４５に記憶された不一致情報に基づき警告を行う。
【０１１３】
（実施の形態３）
実施の形態１では、図２（ａ）に示すように、医科歯科用ハンドピース３０の本体部３１を一周する形状の外周溝３３が形成されている。そのため、外周溝３３にバンド部４０ａが収まるようにＲＦＩＤタグ４０を医科歯科用ハンドピース３０に取付けた場合に、外周溝３３の円周方向にＲＦＩＤタグ４０の位置がずれる可能性があった。そこで、本実施の形態３では、医科歯科用ハンドピース３０に取付けたＲＦＩＤタグ４０が外周溝３３の円周方向にずれないような外周溝３３の形状にしてある。
【０１１４】
図１５は、本実施の形態３に係る医科歯科用ハンドピース３０ａの構成を説明するための概略図である。図１５（ａ）に示す医科歯科用ハンドピース３０ａは、外周溝３３の形状が図２で説明した医科歯科用ハンドピース３０と異なる以外、同じ構成を有している。なお、医科歯科用ハンドピース３０ａにおいて、図２で説明した医科歯科用ハンドピース３０と同じ構成に同じ符号を付して詳細な説明を繰返さない。
【０１１５】
外周溝３３は、把持部３２とならない本体部３１の位置に、本体部３１を一周する形状で設けられている。さらに、医科歯科用ハンドピース３０ａの外周溝３３では、ＲＦＩＤタグ４０の保護部材４０ｂと対応する位置に、座ぐり等で形成した凹部３３ａを設けている。凹部３３ａは、保護部材４０ｂの一部が収まるようにしたバンド部４０ａの幅よりもわずかに大きい幅の円弧を有している。そのため、凹部３３ａに保護部材４０ｂを合わせるようにＲＦＩＤタグ４０を医科歯科用ハンドピース３０に取付けることで、外周溝３３の円周方向にＲＦＩＤタグ４０がずれることがない。また、ＲＦＩＤタグ４０を医科歯科用ハンドピース３０に取付ける際に、外周溝３３の円周方向の位置合わせが容易になる。
【０１１６】
また、図１５（ｂ）に示す医科歯科用ハンドピース３０ｂは、外周溝３３を設けず凹部３３ａのみが設けられた形状である。そのため、医科歯科用ハンドピース３０ｂにおいて、図２で説明した医科歯科用ハンドピース３０と同じ構成に同じ符号を付して詳細な説明を繰返さない。医科歯科用ハンドピース３０ｂの本体部３１には、外周溝３３が設けられずに、保護部材４０ｂと対合する平面視円形となる凹部３３ａだけを設けてある。凹部３３ａだけを設けても長手方向及び周方向へのＲＦＩＤタグ４０の位置ずれを防ぐことができる。なお、凹部３３ａは平面視の形状は円形に限られず、楕円形や矩形であってもよい。
【０１１７】
以上のように、本実施の形態３に係る医科歯科用ハンドピース３０ａでは、把持部３２とならない本体部３１の位置に、ＲＦＩＤタグ４０のバンド部４０ａと当接する外周溝３３およびＲＦＩＤタグ４０の保護部材４０ｂと当接する凹部３３ａのうち少なくとも一方を設けている。これにより、外周溝３３の円周方向にＲＦＩＤタグ４０の位置がずれるのを防止することができるとともに、ＲＦＩＤタグ４０の外周溝３３の円周方向の位置合わせが容易になる。
【０１１８】
（変形例）
（１）前述の実施の形態に係る診療装置１０では、歯科用診療装置であると説明したが、ＲＦＩＤタグ４０の識別番号を読み取り可能な診療装置は、歯科用診療装置に限定されない。歯科用診療装置以外の診療装置として、例えば、耳鼻咽喉科用診療装置、口腔外科用診療装置、眼科用診療装置や産婦人科用診療装置などであってもよい。さらに、ＲＦＩＤタグ４０の識別番号を読み取り可能な診療装置や処理装置を含む管理システムについて説明する。図１６は、ＲＦＩＤタグ４０の識別番号を読み取り可能な医療用診療装置や処理装置を含む管理システム１０００を説明するための概略図である。本変形例においては、診療装置１０に医科歯科用ハンドピース４を取り付けることで、術者が歯科診療を行うことができる。
【０１１９】
医科歯科用ハンドピース４は、使用時に患者に接触することで細菌やウィルスなどによって汚染される可能性がある。このため、使用後の医科歯科用ハンドピース４のメンテナンスにおいては、次の患者に使用する前に滅菌などの処理を医科歯科用ハンドピース４に施す必要がある。本変形例においては、メンテナンス時の工程として、洗浄装置６０によって医科歯科用ハンドピース４を洗浄する処理を行うための洗浄工程と、給油装置７０によって医科歯科用ハンドピース４を給油する処理を行うための給油工程と、滅菌装置８０によって医科歯科用ハンドピース４を滅菌する処理（例えばオートクレーブ）を行うための滅菌工程とが設けられている。なお、洗浄装置６０、給油装置７０、および滅菌装置８０は、「処理装置」の一実施形態であり、以下では、これらをまとめて「処理装置」とも称する。
【０１２０】
一般的に、衛生上の観点から、医科歯科用ハンドピース４のメンテナンスにおいては、各処理が行われる順番が予め決められている。本変形例においては、最初に洗浄工程、次に給油工程、最後に滅菌工程といったように、予め決められた工程順で各処理が行われる。このように、予め決められた工程順でメンテナンスの処理が行われることで、処理後の医科歯科用ハンドピース４を安全に次の患者に使用することができる。特に滅菌は、洗浄または給油によっても医科歯科用ハンドピース４に菌が付着する虞があるため、他の全ての処理が完了した最後の処理として行われることが望ましい。
【０１２１】
しかし、複数の処理を予め決められた工程順で行うことを術者頼りにしてしまうと、人為的ミスなどによって、一部の処理がスキップされたり、重複して処理が行われたりといったことが起こり得る。そこで、本変形例においては、医科歯科用ハンドピース４に取り付けられたＲＦＩＤタグ４０を用いることで、予め決められた工程順で複数の処理が行われたか否かについて医科歯科用ハンドピース４ごとに管理するようになっている。なお、医科歯科用ハンドピース４のメンテナンスにおいて、予め決められた工程順で複数の処理が行われないようなエラーを、「メンテナンスエラー」とも称する。以下、本変形例における医科歯科用ハンドピース４のメンテナンスについて説明する。
【０１２２】
図１６に示すように、複数の処理装置のそれぞれによって処理が行われることで医科歯科用ハンドピース４のメンテナンスを管理する管理システム１０００は、洗浄装置６０、給油装置７０、および滅菌装置８０を含む複数の処理装置と、医科歯科用ハンドピース４とを備える。
【０１２３】
医科歯科用ハンドピース４は、診療装置１０への取り付け、および診療装置１０からの取り外しが可能である。医科歯科用ハンドピース４の本体部４８には、ＲＦＩＤタグ４０が取り付けられている。本変形例に係るＲＦＩＤタグ４０は、医科歯科用ハンドピース４の本体部４８に取付け可能なバンド式のＩＣタグである。
【０１２４】
洗浄装置６０は、処理部６１を含む。洗浄装置６０の処理部６１は、チャンバ―内に取り付けられた医科歯科用ハンドピース４に対して、洗浄、すすぎ、消毒、および乾燥などの処理を施すことで、医科歯科用ハンドピース４に付着した汚れを取り除く。
【０１２５】
洗浄装置６０には、医科歯科用ハンドピース４に取り付けられたＲＦＩＤタグ４０と通信可能なリーダライタ６０ａが取り付けられている。洗浄装置６０の処理部６１は、リーダライタ６０ａによって読み取られたＲＦＩＤタグ４０に記憶された情報に基づき、医科歯科用ハンドピース４に対して洗浄などの処理を行う。
【０１２６】
給油装置７０は、処理部７１を含む。給油装置７０の処理部７１は、チャンバ―内に取り付けられた医科歯科用ハンドピース４に対して、給油などの処理を施すことで、医科歯科用ハンドピース４を潤滑剤となるオイルを補充する。
【０１２７】
給油装置７０には、医科歯科用ハンドピース４に取り付けられたＲＦＩＤタグ４０と通信可能なリーダライタ７０ａが取り付けられている。給油装置７０の処理部７１は、リーダライタ７０ａによって読み取られたＲＦＩＤタグ４０に記憶された情報に基づき、医科歯科用ハンドピース４に対して給油などの処理を行う。
【０１２８】
また、給油装置７０は、処理装置側制御部７５として、警告制御部７２と禁止制御部７３とを含む。
【０１２９】
警告制御部７２は、給油装置７０に設けられた図示しないＬＥＤなどのランプを点灯させたり、給油装置７０に設けられた図示しないスピーカから音を出力させたりすることで、警告を発生させる制御を行う。なお、警告制御部７２は、ランプおよびスピーカに限らず、図示しない表示画面に警告画像を表示するなど、その他の手段を用いて警告を発生するものであってもよい。本変形例においては、警告制御部７２は、リーダライタ７０ａによって読み取られたＲＦＩＤタグ４０に記憶された情報に基づき、給油の前工程である洗浄が行われていないと判断した場合に、警告を発生する。このように、警告制御部７２は、洗浄工程をスキップして給油工程が行われるといったメンテナンスエラーが生じた場合に、ランプやスピーカを用いて警告を発生させる制御を行う。
【０１３０】
禁止制御部７３は、給油工程において、医科歯科用ハンドピース４に対する給油などの処理を禁止する制御を行う。本変形例においては、禁止制御部７３は、リーダライタ７０ａによって読み取られたＲＦＩＤタグ４０に記憶された情報に基づき、給油の前工程である洗浄が行われていないと判断した場合に、給油などの処理を禁止する制御を行う。このように、禁止制御部７３は、洗浄工程をスキップして給油工程が行われるといったメンテナンスエラーが生じた場合に、給油工程における給油を禁止する制御を行う。
【０１３１】
滅菌装置８０は、処理部８１を含む。滅菌装置８０の処理部８１は、チャンバ―内に取り付けられた医科歯科用ハンドピース４に対して、蒸気などを吹き付けて滅菌処理（オートクレーブ）を行うことで、医科歯科用ハンドピース４に付着した被滅菌物を滅菌する。
【０１３２】
滅菌装置８０には、医科歯科用ハンドピース４に取り付けられたＲＦＩＤタグ４０と通信可能なリーダライタ８０ａが取り付けられている。滅菌装置８０の処理部８１は、リーダライタ８０ａによって読み取られたＲＦＩＤタグ４０に記憶された情報に基づき、医科歯科用ハンドピース４に対して滅菌などの処理を行う。
【０１３３】
また、滅菌装置８０は、処理装置側制御部８５として、警告制御部８２と禁止制御部８３とを含む。
【０１３４】
警告制御部８２は、滅菌装置８０に設けられた図示しないＬＥＤなどのランプを点灯させたり、滅菌装置８０に設けられた図示しないスピーカから音を出力させたりすることで、警告を発生させる制御を行う。なお、警告制御部８２は、ランプおよびスピーカに限らず、図示しない表示画面に警告画像を表示するなど、その他の手段を用いて警告を発生するものであってもよい。本変形例においては、警告制御部８２は、リーダライタ８０ａによって読み取られたＲＦＩＤタグ４０に記憶された情報に基づき、滅菌の前工程である洗浄および給油の少なくともいずれかが行われていないと判断した場合に、警告を発生する。このように、警告制御部８２は、洗浄工程や給油工程をスキップして滅菌工程が行われるといったメンテナンスエラーが生じた場合に、ランプやスピーカを用いて警告を発生させる制御を行う。
【０１３５】
禁止制御部８３は、滅菌工程において、医科歯科用ハンドピース４に対する滅菌などの処理を禁止する制御を行う。本変形例においては、禁止制御部８３は、リーダライタ８０ａによって読み取られたＲＦＩＤタグ４０に記憶された情報に基づき、滅菌の前工程である洗浄および給油の少なくともいずれかが行われていないと判断した場合に、滅菌などの処理を禁止する制御を行う。このように、禁止制御部８３は、洗浄工程や給油工程をスキップして滅菌工程が行われるといったメンテナンスエラーが生じた場合に、滅菌工程における滅菌を禁止する制御を行う。
【０１３６】
なお、医科歯科用ハンドピース４のメンテナンスにおいては、洗浄、給油、および滅菌に限らず、他の処理が医科歯科用ハンドピース４に施されてもよい。たとえば、洗浄と給油との間に、消毒などの処理が医科歯科用ハンドピース４に施されてもよい。
【０１３７】
医科歯科用ハンドピース４は、たとえば、エアタービンハンドピース、マイクロモータハンドピース、スケーラ、スリーウェイシリンジ、およびバキュームシリンジなどの歯科診療用のインスツルメントである。なお、医科歯科用ハンドピース４は、これらに限らず、口腔内カメラ、光重合用照射器、根管長測定器、３次元スキャナ、および根管拡大器などであってもよいし、デンタルミラー、注射器、および充填器具など、駆動しない器具であってもよい。
【０１３８】
（２）前述の管理システムでは、１つの例示的形態として、歯科診療に用いることが可能な医療用診療装置を備える管理システムについて説明した。しかし、当該管理システムは、歯科に限らず、口腔外科、外科、整形外科、眼科、耳鼻咽喉科、放射線科、および獣医科など、あらゆる医科の診療にも適用することが可能である。また、診療には、診断および治療が含まれる。
【０１３９】
（３）前述のＲＦＩＤタグ４０では、弾性を有するリング状のバンド部４０ａで医科歯科用ハンドピース３０に取付けられていた。つまり、外周溝３３の外径は、ＲＦＩＤタグ４０のバンド部４０ａの内径よりも大きく、バンド部４０ａを弾性に抗して引き伸ばして装着していた。しかし、ＲＦＩＤタグの医科歯科用ハンドピースへの取付は、これに限られず、医科歯科用ハンドピースの本体部に取付けたＲＦＩＤタグが、所定の固定手段により固定される構成でもよい。ＲＦＩＤタグを医科歯科用ハンドピースに対して完全に固定して取付けることで、ＲＦＩＤタグが医科歯科用ハンドピースに取付け後、簡単に取り外せないようにしておくことができ、識別情報の混同を防げることができる。
【０１４０】
図１７は、変形例に係るＲＦＩＤタグおよび医科歯科用ハンドピースの構成を説明するための概略図である。図１７では一部が断面図となっており、当該断面図に示すようにＲＦＩＤタグ４０Ａのバンド部に突起４０ｃが設けられており、この突起４０ｃに対向する医科歯科用ハンドピース３０ｃの外周溝３３の位置に孔部３６が設けられている。なお、ＲＦＩＤタグ４０Ａにおいて、図１で説明したＲＦＩＤタグ４０と同じ構成に同じ符号を付して詳細な説明を繰返さない。また、医科歯科用ハンドピース３０ｃにおいて、図２で説明した医科歯科用ハンドピース３０と同じ構成に同じ符号を付して詳細な説明を繰返さない。
【０１４１】
図１７に示すＲＦＩＤタグ４０Ａは、突起４０ｃを孔部３６に嵌合させて医科歯科用ハンドピース３０ｃに取付けるだけでなく、取付け後、接着剤で医科歯科用ハンドピース３０ｃと接着してもよい。なお、バンド部に突起４０ｃを設け、この突起４０ｃに対向する医科歯科用ハンドピース３０ｃの外周溝３３の位置に孔部３６を設ける構成ではなく、バンド部に孔部を設け、この孔部に対向する医科歯科用ハンドピースの外周溝の位置に突起を設ける構成でもよい。
【０１４２】
（４）医科歯科用ハンドピースの本体部に所定の固定手段でＲＦＩＤタグを取付ける例として、前述では突起４０ｃを孔部３６に嵌合させてＲＦＩＤタグ４０Ａを医科歯科用ハンドピース３０ｃに接着剤で接着する構成を説明した。しかし、固定手段はこれに限られず、金属製のリング状のバンド部を有するＲＦＩＤタグを医科歯科用ハンドピースに取付け後、バンド部と医科歯科用ハンドピースの本体部とを溶着させる。図１８は、変形例に係るＲＦＩＤタグの構成を説明するための概略図である。図１８に示すＲＦＩＤタグ４０Ｂはバンド部４０ｄが弾性のある金属製または樹脂製のＣ文字のリング状の形状を有している。リング状の形状は、Ｏ文字のリング状の形状だけでなく、周方向の一部が切れているＣ文字のリング状の形状も含まれる。なお、ＲＦＩＤタグ４０Ｂにおいて、図１で説明したＲＦＩＤタグ４０と同じ構成に同じ符号を付して詳細な説明を繰返さない。
【０１４３】
さらに、固定手段は、接着や溶着などの化学的手法以外に、鉤状の突起や金具などの機械的手法で容易に外れないように固定し、バンド部を破壊しないと取り外せない手段であればいずれの手段であってもよい。例えば、弾性のある合成樹脂または金属製の結束バンドをＲＦＩＤタグのバンド部として有していてもよい。結束バンドの場合は、医科歯科用ハンドピースに取付け後にリング状になる構成である。その他、ＲＦＩＤタグのバンド部は、弾性のある熱収縮チューブで構成されてもよい。この場合、ＲＦＩＤタグを医科歯科用ハンドピースに取付け後に、熱を加えてバンド部を熱収縮させて、ＲＦＩＤタグを医科歯科用ハンドピースに固定する。
【０１４４】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【０１４５】
また、本発明において、医科歯科用ハンドピースは、医療用診療装置１０から水、エアーや電気を供給するチューブで接続して使用する構成のものに限らず、充電して使用するコードレスタイプの医科歯科用ハンドピースであってもよい。
【符号の説明】
【０１４６】
１  診療椅子、２  ベースンユニット、３  トレーテーブル、４  医科歯科用ハンドピース、５  フートコントローラ、６  表示モニタ、７  照明装置、８  操作パネル、９  制御装置、１０ａ  リーダライタ、１０ｂ  ２次元識別コードリーダ、１１  シート駆動部、１２  操作制御部、１４  医科歯科用ハンドピース駆動部、１５  表示モニタ制御部、１６  ベースン制御部、１７  照明制御部、１８  情報収集部、１８ａ  出力ポート、１８ｂ  メモリ、２０  コンピュータ、３０  医科歯科用ハンドピース、３１  本体部、３２  把持部、３３  外周溝、３３ａ  凹部、３４  接続部、３５  ヘッド部、４０  ＲＦＩＤタグ、４０ａ  バンド部、４０ｂ  保護部材、４１  通信部、４２  制御部、４３  警告部、４４  記憶部、４５  ＲＦＩＣチップ、５０  インスツルメントホルダ。
【図１】
2019216995.tif 000003
【図２】
2019216995.tif 000004
【図３】
2019216995.tif 000005
【図４】
2019216995.tif 000006
【図５】
2019216995.tif 000007
【図６】
2019216995.tif 000008
【図７】
2019216995.tif 000009
【図８】
2019216995.tif 000010
【図９】
2019216995.tif 000011
【図１０】
2019216995.tif 000012
【図１１】
2019216995.tif 000013
【図１２】
2019216995.tif 000014
【図１３】
2019216995.tif 000015
【図１４】
2019216995.tif 000016
【図１５】
2019216995.tif 000017
【図１６】
2019216995.tif 000018
【図１７】
2019216995.tif 000019
【図１８】
2019216995.tif 000020